(57)【要約】【課題】  極めて簡単な構造であって、建築物の周囲の地下水位を低下させることにより、地下空間内への地下水の浸入を軽減するための方法を提供することを目的とする。【解決手段】  建築物１における地下空間５を囲む外壁６の外面に、連続した空隙を有する合成樹脂発泡体８を設置し、前記地下空間５の下部に排水路９を形成し、前記地下空間５の周囲の地下水を前記合成樹脂発泡体８の空隙を通じて前記排水路９に導く。前記合成樹脂発泡体（８）が、容積が２〜６cm3の発泡ポリスチレンの独立気泡発泡体粒子を金型 内で加熱して結合してなり、前記粒子間に互いに連続した空隙が形成され、その空隙率が８〜３５％のものであることが好ましい。【選択図】          図１
2006299653.tif 000002
【特許請求の範囲】
【請求項１】
建築物（１）における地下空間（５）を囲む外壁（６）の外面に、連続した空隙を有する合成樹脂発泡体（８）を設置し、前記地下空間（５）の下部に排水路（９）を形成し、前記地下空間（５）の周囲の地下水を前記合成樹脂発泡体（８）の空隙を通じて前記排水路（９）に導くことを特徴とする、建築物の周囲の地下水位を低下させる方法
【請求項２】
前記合成樹脂発泡体（８）が、容積が２〜６cm3の発泡ポリスチレンの独 立気泡発泡体粒子を金型内で加熱して結合してなり、前記粒子間に互いに連続した空隙が形成され、その空隙率が８〜３５％のものであることを特徴とする、請求項１に記載の建築物の周囲の地下水位を低下させる方法
【請求項３】
前記合成樹脂発泡体（８）における前記地下空間（５）の外壁（６）のコンクリート（１０）に対向する面に不浸透性のフィルム（１１）を貼着し、外側の面には通水性を有する保護皮膜（１２）を形成したことを特徴とする、請求項１又は２に記載の建築物の周囲の地下水位を低下させる方法
【発明の詳細な説明】
【技術分野】
【０００１】
本発明は、地下室などの地下空間を有する建築物において、当該地下空間の周囲の地下水位を低下させ、前記地下空間にかかる水圧を低下させて漏水を防止するための方法に関するものである。
【背景技術】
【０００２】
一般に建築物における地下室などの地下空間には、周囲の地盤中の地下水が侵入して漏水を生じることが少なくない。地下空間の周囲の壁に防水処理が施されることは当然であるが、地下水の水圧によって僅かな漏水は避けられない。
【０００３】
従来このような漏水に対しては、地下空間内に侵入した水を集めて排出することが行われている。例えば特開２００４−９２３１２号公報に記載されたものは、片面に多数の凹溝を設けた発泡スチロールなどの板であって、これを内壁に設置することにより、壁に沿った凹溝を通じて水を排出すると言うものである。
【０００４】
しかしながらこのものは、一旦地下空間内に浸入してしまった水を排出し、地下空間内の湿気を除去するには有効であるが、その地下空間内への水の浸入そのものを防止することはできない。
【特許文献１】特開２００４−９２３１２号公報
【発明の開示】
【発明が解決しようとする課題】
【０００５】
本発明はかかる事情に鑑みなされたものであって、極めて簡単な構造であって、建築物の周囲の地下水位を低下させることにより、地下空間内への地下水の浸入を軽減するための方法を提供することを目的とするものである。
【課題を解決するための手段】
【０００６】
而して本発明は、建築物における地下空間を囲む外壁の外面に、連続した空隙を有する合成樹脂発泡体を設置し、前記地下空間の下部に排水路を形成し、前記地下空間の周囲の地下水を前記合成樹脂発泡体の空隙を通じて前記排水路に導くことを特徴とするものである。
【０００７】
本発明においては、前記合成樹脂発泡体としては、容積が２〜６cm3の発泡ポリスチレ ンの独立気泡発泡体粒子を金型内で加熱して結合してなり、前記粒子間に互いに連続した空隙が形成され、その空隙率が８〜３５％のものであることが好ましい。
【０００８】
また本発明においては、前記合成樹脂発泡体における前記地下空間の外壁のコンクリートに対向する面に不浸透性のフィルムを貼着し、外側の面には通水性を有する保護皮膜を形成することが好ましい。
【発明の効果】
【０００９】
本発明によれば、建築物の地下空間の外壁の外面に、合成樹脂発泡体を設置すると言う極めて単純な構造であって、その施工も極めて容易であって安価に工事を行うことができると共に、その合成樹脂発泡体の空隙を通して地下水を排水路から排出し、地下空間の周囲の地下水位を低下させることができるのであって、建築物に作用する地下水の圧力を低下させ、地下空間内への水の浸入を確実に防止することができる。
【発明を実施するための最良の形態】
【００１０】
以下本発明の実施の形態を図面に従って説明する。図１は本発明を使用した建築物１を示すものであって、地表面２の上に現れた地上構造部３と、当該地上構造部３の下部において地表面２下に埋設された地下構造部４とよりなっている。
【００１１】
而して当該建築物１の地下構造部４は、地下室などの内部が空虚な地下空間５を有しており、当該地下空間５の周囲及び床面が外壁６で囲まれている。また図面においては、地下空間５は中床７によって上下二層に分かれている。
【００１２】
そして外壁６の外面には、合成樹脂発泡体８が設置されている。当該合成樹脂発泡体８は発泡粒子間に比較的大きな互いに連続した空隙を有する発泡成型体であって、容積が２〜６cm3の発泡ポリスチレンの独立気泡発泡体粒子を金型内で加熱して結合してなり、前 記粒子間に互いに連続した空隙が形成されており、その空隙率が８〜３５％のものであることが好ましい。かかる合成樹脂発泡体としては、特開平１１−３３３９３８号公報に記載されているものを使用することができる。
【００１３】
また前記地下空間５の下部には排水路９が形成され、前記合成樹脂発泡体８に形成された連続した空隙が当該排水路９に通じており、当該排水路９は適宜の流路を介して下水道などに通じている。
【００１４】
すなわち本発明によれば、地下空間５の外壁６の外側に合成樹脂発泡体８を設置することにより、地下空間５の周囲の地中に含まれる地下水は、前記合成樹脂発泡体８の空隙を通じて前記排水路９に導かれて排水される。これにより地下空間５の周囲の地下水位を低下させることができ、地下水により地下空間５にかかる水圧を削減して、水の浸入を防止することができるのである。
【００１５】
また図２は、本発明における合成樹脂発泡体８の好ましい形態を示すものであって、合成樹脂発泡体８における外壁６のコンクリート１０に対向した面には、不浸透性のプラスチック又はアルミ箔などのフィルム１１が貼着されており、また合成樹脂発泡体８の外側の面には、通水性を有する保護皮膜１２が形成されている。
【００１６】
前記保護皮膜１２としては、プラスチックフィルムに小孔又はスリットを多数穿設したものを使用することができ、また通水性を有する織布や不織布などを合成樹脂発泡体８に貼着することも可能である。
【００１７】
このように合成樹脂発泡体８の両面にフィルム１１及び保護皮膜１２を貼着することにより、合成樹脂発泡体８の片面側にコンクリート１０を打設する際には、フィルム１１により生コンクリートが合成樹脂発泡体８の空隙を埋めるのを防止することができ、また保護皮膜１２は地中の水を透過させることができ、合成樹脂発泡体８の空隙を通して排出するのを許容すると共に、当該水と共に地中の土砂が合成樹脂発泡体８の空隙に流入するのを阻止する。
【図面の簡単な説明】
【００１８】
【図１】本発明を適用した建築物の一部を断面で示した正面図
【図２】本発明における合成樹脂発泡体の好ましい形態を示す断面図
【符号の説明】
【００１９】
１  建築物
５  地下空間
６  外壁
８  合成樹脂発泡体
９  排水路
１０  コンクリート
１１  フィルム
１２  保護皮膜
【図１】
2006299653.tif 000003
【図２】
2006299653.tif 000004